(57)【特許請求の範囲】
【請求項１】
車室内前方に配置されるダッシュボード内に固定され、ダッシュボード内に位置する表示画面から画像を発光表示する表示手段と、
ダッシュボードに対して可動配置され、排出時には該ダッシュボードの上方位置に突出し表示手段から発光表示される画像を第１の反射面で反射して乗員の視点方向に導く一方、収納時には該ダッシュボード上に突出しない状態に収納される第１のミラー部材とを備える開閉式反射型表示装置において、
前記第１のミラー部材に対して所定の取り付け角度を有して配置され、収納時には表示手段の一部から発光表示される画像を第２の反射面で反射して乗員の視点方向に導く第２のミラー部材と、
前記第１のミラー部材と前記第２のミラー部材とを保持するリッドと、
を備えることを特徴とする開閉式反射型表示装置。
【請求項２】
前記第１のミラー部材がダッシュボード上に突出しない状態に収納される場合には、前記表示手段から発光表示される画面の一部を第２のミラー部材に反射させて表示するように前記表示画面を移動する画面移動手段を有することを特徴とする請求項１記載の開閉式反射型表示装置。
【請求項３】
前記第１のミラー部材がダッシュボード上に突出しない状態に収納される場合には、前記表示手段から発光表示される画面の一部を第２のミラー部材に反射させて表示するように前記第２のミラー部材を移動する反射面移動手段を有することを特徴とする請求項１記載の開閉式反射型表示装置。
【発明の詳細な説明】
【０００１】
【発明の属する技術分野】
本発明は、開閉式反射型表示装置に関し、特に、ダッシュボード上にミラーパネルを突出させて発光表示される画面情報をミラーパネルに反射させて表示することができる開閉式反射型表示装置に関する。
【０００２】
【従来の技術】
従来、開閉式反射型表示装置としては、特開平９−１５６３９９号公報記載の「車両用画像表示装置」が知られている。このものは、車室内に設けられたダッシュボード上面に開口部を形成し、その中にテレビモニタの表示画面を上方に向けて固定配置しておき、ダッシュボード上面には開口部の上方にミラ−パネルを回動自在に配置するものである。この表示装置を使用するときは、ミラーパネルを斜め約４５度位に開いてテレビモニタの画像をミラーパネルで反射して、乗員の視点方向に導くようにして外光による表示の見づらさを解消すると共に、直射日光による表示装置の劣化を防止し、一方、表示装置を使用しないときには、ミラーパネルを閉じて、ダッシュボードの上面に対し略フラットにすることで、直射日光による表示装置の劣化を防止すると共に、邪魔にならないようにすることができるという利点を有するものである。
【０００３】
【発明が解決しようとする課題】
しかしながら、従来の開閉式反射型表示装置にあっては、直射日光による表示装置の劣化を防止しつつ、不使用時には邪魔にならないように収納していたので、ミラーパネルをダッシュボード上面に開いているときにのみ、テレビモニタの画像をミラーパネルに反射させて表示するうようにしていた。
このため、従来の開閉式反射型表示装置では、ミラーパネルがダッシュボード内に収納されているときに使用することは考慮されておらず、表示装置としての有効利用の度合が低かった。
【０００４】
本発明は、上記に鑑みてなされたもので、その目的として、収納時にも有用な情報を表示することができ、装置の有効利用に寄与することができる開閉式反射型表示装置を提供することにある。
【０００５】
【課題を解決するための手段】
請求項１記載の発明は、上記課題を解決するため、車室内前方に配置されるダッシュボード内に固定され、ダッシュボード内に位置する表示画面から画像を発光表示する表示手段と、ダッシュボードに対して可動配置され、排出時には該ダッシュボードの上方位置に突出し表示手段から発光表示される画像を第１の反射面で反射して乗員の視点方向に導く一方、収納時には該ダッシュボード上に突出しない状態に収納される第１のミラー部材とを備える開閉式反射型表示装置において、前記第１のミラー部材に対して所定の取り付け角度を有して配置され、収納時には表示手段の一部から発光表示される画像を第２の反射面で反射して乗員の視点方向に導く第２のミラー部材と、第１のミラー部材と第２のミラー部材とを保持するリッドと、を備えることを要旨とする。
【０００６】
請求項２記載の発明は、上記課題を解決するため、前記第１のミラー部材がダッシュボード上に突出しない状態に収納される場合には、前記表示手段から発光表示される画面の一部を第２のミラー部材に反射させて表示するように前記表示画面を移動する画面移動手段を有することを要旨とする。
【０００７】
請求項３記載の発明は、上記課題を解決するため、前記第１のミラー部材がダッシュボード上に突出しない状態に収納される場合には、前記表示手段から発光表示される画面の一部を第２のミラー部材に反射させて表示するように前記第２のミラー部材を移動する反射面移動手段を有することを要旨とする。
【０００８】
【発明の効果】
請求項１記載の本発明によれば、ダッシュボード上に突出しない状態に第１のミラー部材が収納された場合でも、第１のミラー部材に対して所定の取り付け角度を有して第２のミラー部材を配置し、収納時には表示手段の一部から発光表示される画像を第２のミラー部材の第２の反射面で反射して乗員の視点方向に導くので、収納時にも有用な情報を表示することができ、装置の有効利用に寄与することができる。
【０００９】
また、請求項２記載の本発明によれば、第１のミラー部材がダッシュボード上に突出しない状態に収納される場合には、表示手段から発光表示される画面の一部を第２のミラー部材に反射させて表示するように表示画面を移動することで、収納時にも有用な情報が発光表示された表示画面を第２のミラー部材下方に移動するようにしているので、有用な情報を表示することができ、装置の有効利用に寄与することができる。
【００１０】
また、請求項３記載の本発明によれば、第１のミラー部材がダッシュボード上に突出しない状態に収納される場合には、表示手段から発光表示される画面の一部を第２のミラー部材に反射させて表示するように第２のミラー部材を移動することで、収納時にも有用な情報が発光表示された表示画面上に第２のミラー部材を移動するようにしているので、有用な情報を表示することができ、装置の有効利用に寄与することができる。
【００１１】
【発明の実施の形態】
以下、本発明の実施の形態を図面を参照して説明する。
（第１の実施の形態）
図１は、本発明の第１の実施の形態に係る開閉式反射型表示装置３１の配置及び構成を示す図である。
図１に示すように、開閉式反射型表示装置１は車室内前方に配置されるダッシュボード３内に固定されている。また、ダッシュボード３内には画像を発光表示する表示部の表示画面５が配置されている。さらに、表示部の表示画面５から発光表示される画像を反射する第１のミラーパネル７と第２のミラーパネル９とを保持するリッド１１がダッシュボード３に対して回動可能に配置されている。
【００１２】
次に、図２（ａ）を参照して開閉式反射型表示装置１の詳細な構成を説明する。なお、図２（ａ）は開閉式反射型表示装置１が収納状態であるときの側面断面図である。
図２（ａ）に示すように、開閉式反射型表示装置１は、リッド１１の回転軸に取り付けられたギア１４と、ギア１４の回転方向とは逆方向に回転するギア１６と、表示部１３に取り付けられギア１６の回転に応じて左右に移動する金具１８とを有している。
【００１３】
ここで、図２〜図３を参照して、開閉式反射型表示装置１の収納状態から突出状態に至る機構的な動作を説明する。なお、図２（ｂ）は開閉式反射型表示装置１が中間状態であるときの側面断面図であり、図２（ｃ）は突出状態であるときの側面断面図である。また、図３（ａ）は第２のミラーパネル９で反射表示される画像情報であり、図３（ｂ）は第１のミラーパネル７で反射表示される画像情報である。
【００１４】
まず、開閉式反射型表示装置１が収納状態にある場合には、図２（ａ）に示すように、リッド１１に取り付けらてた第１のミラーパネル７と表示部１３の表示画面５とが平行かつ接近状態になっている。また、第２のミラーパネル９は第１のミラーパネル７に対して所定の取り付け角度を有してリッド１１右端部に配置されており、収納時には、ダッシュボード３の上方位置に第２のミラーパネル９のみが突出している。なお、表示部１３の右端部位置に収納状態検出スイッチ（図外）を設けておき、このスイッチがオン状態に変わったときに表示部１３が右端部まで移動したことを検出する。収納状態検出スイッチ（図外）がオン状態になっている場合には、表示部１３の一部に例えば方位情報と時刻情報を表示しておくこととする。
【００１５】
この収納状態では、表示画面５の一部（イ）には、表示部１３による画像情報が発光表示されているので、発光表示される画像情報は第２のミラーパネル９の反射面で反射して乗員の視点方向に導びかれる。この結果、図３（ａ）に示すように、例えば方位情報と時刻情報が第２のミラーパネル９に反射して表示される。
【００１６】
次に、乗員がリッド１１の先端部に指先を当ててリッド１１を上方に押し上げる場合には、図２（ｂ）に示すような中間状態になる。即ち、リッド１１の先端部が上方に押し上げられるにつれて、リッド１１の回転軸に取り付けられたギア１４は左回りに回転し、ギア１４の回転方向とは逆方向の右回りにギア１６は回転する。同時に、ギア１６が右回りに回転するにつれて金具１８は左方向に移動するので、金具１８の移動に応じて表示部１３は左方向に移動する。
【００１７】
さらに、図２（ｃ）に示すように、リッド１１が突出状態になった場合には、表示部１３は左端部に設けられたストッパ（図外）の位置まで移動させられてこの位置で停止する。なお、ストッパ（図外）の位置に突出状態検出スイッチ（図外）を設けておき、このスイッチがオン状態に変わったときに表示部１３が左端部まで移動したことを検出する。突出状態検出スイッチ（図外）がオン状態になっている場合には、表示部１３に例えば地図情報を表示しておくこととする。
【００１８】
この突出状態では、表示画面５には表示部１３による画像情報が発光表示されているので、発光表示される画像情報は第１のミラーパネル７の反射面で反射して乗員の視点方向に導びかれる。この結果、図３（ｂ）に示すように、例えば地図情報が第１のミラーパネル７に反射して表示される。
【００１９】
このように、ダッシュボード３上に突出しない状態に第１のミラーパネル７が収納された場合でも、第１のミラーパネル７に対して所定の取り付け角度を有して第２のミラーパネル９を配置し、収納時には表示部１３の一部から発光表示される画像を第２のミラーパネル９の第２の反射面で反射して乗員の視点方向に導くので、収納時にも有用な画像情報を表示することができ、装置の有効利用に寄与することができる。
【００２０】
また、第１のミラーパネル７がダッシュボード３上に突出しない状態に収納される場合には、表示部１３から発光表示される表示画面の一部（イ）を第２のミラーパネル９に反射させて表示するように表示画面５を移動することで、収納時にも有用な画像情報が発光表示された表示画面を第２のミラーパネル９下方に移動するようにしているので、有用な画像情報を表示することができ、装置の有効利用に寄与することができる。
【００２１】
なお、本実施の形態においては、乗員がリッド１１を上方に押し上げるような手動操作に応じて、リッド１１が収納状態から突出状態に切り替わる場合について説明したが、本発明はこのような手動操作に限られることなく、例えばモータ駆動を用いる場合にも同様にリッド１１を収納状態から突出状態に切り替え移動することができる。この場合、例えばナビゲーション装置（図外）等の電源スイッチのオン操作に応じて、ギア１６の回転軸に設けられるモータを右回転させ、突出状態検出スイッチ（図外）がオフ状態からオン状態に変わったときにこのモータを停止するように構成すればよい。
【００２２】
（第２の実施の形態）
次に、図４（ａ）は、本発明の第２の実施の形態に係る開閉式反射型表示装置３１の配置及び構成を示す収納状態時の側面断面図である。
図４（ａ）に示すように、開閉式反射型表示装置３１は、表示部１３には２つのガイド溝３３，３５を有するレール付ブラケット３７と、一端をリッド１１に回転自在に軸支され他端をレール付ブラケット３７のガイド溝３３に摺動可能かつ回転可能に軸支される支え金具３９と、リッド１１の端部に固定されレール付ブラケット３７のガイド溝３５に摺動自在に挿入されるレール保持用ボス３９とを有している。
【００２３】
ここで、図４〜図５を参照して、開閉式反射型表示装置３１の収納状態から突出状態に至る機構的な動作を説明する。なお、図４（ｂ）は開閉式反射型表示装置３１が中間状態であるときの側面断面図であり、図４（ｃ）は突出状態であるときの側面断面図である。また、図５はリッド１１と支え金具３９との間でリッド１１の突出状態を保持するバネ４１の側面断面図である。
【００２４】
まず、開閉式反射型表示装置３１が収納状態にある場合には、図４（ａ）に示すように、リッド１１に取り付けらてた第１のミラーパネル７と表示部１３の表示画面５とが平行かつ接近状態になるように、支え金具３９がガイド溝３３の左端部に収まっている。また、第２のミラーパネル９は第１のミラーパネル７に対して所定の取り付け角度を有してリッド１１右端部に配置されており、収納時には、ダッシュボード３の上方位置に第２のミラーパネル９のみが突出している。なお、ガイド溝３３の左端部位置の溝部に収納状態検出スイッチ（図外）を設けておき、このスイッチがオン状態になっているときにはリッド１１が収納されていることを検出できる。また、収納状態検出スイッチ（図外）がオン状態になっている場合には、表示部１３の一部に例えば方位情報と時刻情報を表示しておくこととする。
【００２５】
この収納状態では、表示画面５の一部（ロ）には、表示部１３による画像情報が発光表示されているので、発光表示される画像情報は第２のミラーパネル９の反射面で反射して乗員の視点方向に導びかれる。この結果、図３（ａ）に示すように、例えば方位情報と時刻情報が第２のミラーパネル９に反射して表示される。
【００２６】
次に、乗員がリッド１１の先端部に指先を当ててリッド１１を上方に押し上げる場合には、図４（ｂ）に示すような中間状態になる。即ち、リッド１１の先端部が上方に押し上げられる場合、レール保持用ボス３９にはガイド溝３５内の左端部方向に回動自在に押されている一方、支え金具３９の下端部はレール付ブラケット３７上のガイド溝３３内を右方向に摺動される。
【００２７】
次に、リッド１１の先端部が上方に押し上げられ、最後に、支え金具３９の下端部はレール付ブラケット３７上のガイド溝３３右端部まで摺動され、ガイド溝３３右端部に設けられた溝に軸支される。
さらに、乗員がリッド１１の先端部を後方に押すと、支え金具３９の下端部はレール付ブラケット３７上のガイド溝３３右端部に設けられた溝に軸支されているので、今度は、レール保持用ボス３９がガイド溝３５内を右方向に摺動して移動される。
【００２８】
次に、図４（ｃ）に示すように、支え金具３９の下端部はレール付ブラケット３７上のガイド溝３３右端部に位置し、かつ、リッド１１の下端部に取り付けられたレール保持用ボス３９がガイド溝３５右端部まで摺動される。このとき、乗員がリッド１１の先端部から指先を離しても、図５に示すバネ４１の弾性力によりリッド１１は突出状態を保持している。なお、リッド１１の下端部に取り付けられたレール保持用ボス３９がガイド溝３５右端部まで摺動されて停止した場合には、この停止位置に突出状態検出スイッチ（図外）を設けておき、このスイッチがオン状態に変わったときにリッド１１が突出状態になったことを検出する。突出状態検出スイッチ（図外）がオン状態になっている場合には、表示部１３に例えば地図情報を表示しておくこととする。
【００２９】
この突出状態では、表示画面５には表示部１３による画像情報が発光表示されているので、発光表示される画像情報は第１のミラーパネル７の反射面で反射して乗員の視点方向に導びかれる。この結果、図４（ｂ）に示すように、例えば地図情報が第１のミラーパネル７に反射して表示される。
【００３０】
このように、ダッシュボード３上に突出しない状態に第１のミラーパネル７が収納された場合でも、第１のミラーパネル７に対して所定の取り付け角度を有して第２のミラーパネル９を配置し、収納時には表示部１３の一部から発光表示される画像を第２のミラーパネル９の第２の反射面で反射して乗員の視点方向に導くので、収納時にも有用な画像情報を表示することができ、装置の有効利用に寄与することができる。
【００３１】
また、第１のミラーパネル７がダッシュボード３上に突出しない状態に収納される場合には、表示部１３から発光表示される表示画面５の一部（ロ）を第２のミラーパネル９に反射させて表示するように第２のミラーパネル９を移動することで、収納時にも有用な画像情報が発光表示された表示画面５上方に第２のミラーパネル９を移動するようにしているので、有用な画像情報を表示することができ、装置の有効利用に寄与することができる。
【図面の簡単な説明】
【図１】本発明の第１の実施の形態に係る開閉式反射型表示装置３１の配置及び構成を示す図である。
【図２】開閉式反射型表示装置１が収納状態であるときの側面断面図（ａ）と、中間状態であるときの側面断面図（ｂ）と、突出状態であるときの側面断面図（ｃ）である。
【図３】第２のミラーパネル９で反射表示される画像情報を示す図（ａ）と、第１のミラーパネル７で反射表示される画像情報を示す図（ｂ）である。
【図４】開閉式反射型表示装置３１が収納状態であるときの側面断面図（ａ）と、中間状態であるときの側面断面図（ｂ）と、突出状態であるときの側面断面図（ｃ）である。
【図５】リッド１１と支え金具３９との間でリッド１１の突出状態を保持するバネ４１の側面断面図である。
【符号の説明】
３  ダッシュボード
７  第１のミラーパネル
９  第２のミラーパネル
１３  表示部
【図１】
0003718972.tif 000002
【図２】
0003718972.tif 000003
【図３】
0003718972.tif 000004
【図４】
0003718972.tif 000005
【図５】
0003718972.tif 000006